(57)【特許請求の範囲】
【請求項１】
打球供給皿が装着される前面板の裏側に、前記打球供給皿のパチンコ球が流入する球入口と発射レールの発射位置にパチンコ球を送り出す供給口とを形成した垂直な球通路を設け、前記球通路の終端部の側壁に球抜通路に通ずる球抜口を開設すると共に、前記球抜口に球抜き方向と直交する方向に往復動する球止壁板を設け、前記終端部には前記供給口と連なりかつ該供給口側と前記球抜口側とのいずれの側へも下傾する底壁を設け、また前記球通路の側方に打球槌の回動に伴い上下に回動自在に軸支される球供給部材を配設し、前記球供給部材に、前記球通路に流入する最先端のパチンコ球を前記底壁上で停止させ、かつ下向きに回動させたときそのパチンコ球を前記供給口から前記発射レールの発射位置に送り出す球止部と、下向きに回動させたとき前記球入口から前記球通路に流入するパチンコ球を受け止め一担待機させる球受部と、を設けてなり、前記球止部は打球槌が発射準備位置に回動すると下向きに回動して前記供給口を開放し前記球止部に受け止められていた前記パチンコ球を前記供給口から前記発射レールの発射位置へ排出するようにし、前記打球供給皿内のパチンコ球を抜き取る場合、前記球止壁板をスライドさせて前記底壁上面に載る最先端の前記パチンコ球の支持を解除することにより前記球通路内のパチンコ球を前記球抜通路に落下させるようにしたことを特徴とするパチンコ機。
【発明の詳細な説明】
【０００１】
【発明の属する技術分野】
本発明は、前面板の前側に設けられる打球供給皿のパチンコ球を下部貯留皿に抜き取る際に打球供給装置内にパチンコ球が残らないようにすることができるようなパチンコ機に関するものである。
【０００２】
【従来の技術】
従来のパチンコ機においては、前面板の前側に打球供給皿を装着し、また前面枠の前面下部に下部球受皿を装着し、打球供給皿のパチンコ球を前面板の裏側に設けられた打球供給装置に導いて１個ずつ発射レールの発射位置に供給するようになっている。一方、打球供給皿の底部には球抜孔が設けられると共に、該球抜孔にスライド板が配設されており、該スライド板を移動させて球抜孔を開放することにより打球供給皿のパチンコ球を下部球受皿に抜き取るようにしていた。
【０００３】
上記した従来のパチンコ機にあっては、打球供給皿のパチンコ球を底部の球抜孔から直接に下部球受皿へ抜き出すようにしているため、打球供給装置に導かれたパチンコ球は抜き取られないでそのまゝ残されてしまうという問題点があった。
【０００４】
そこで、上記のような問題点を解決するために、打球供給皿のパチンコ球を打球供給装置へ導く供給通路の底面に球抜取口を設け、該球抜取口を可動底板のスライド操作によって開閉するようにしたもの、或いは打球供給装置の終端から流出するパチンコ球を球抜取口側に転動させ得る状態で支持する受け部材と、該受け部材に支持されたパチンコ球が球抜取口に落下するのを阻止する球抜部材とを設け、該球抜部材を受け部材から離れる方向に変位させるようにして、打球供給装置内にパチンコ球を残すことなく打球供給皿のパチンコ球を下部球受皿に抜き取るようにしたものが知られている（例えば実公平４−３２１４７号公報，実公平６−３６４８号公報参照）。
【０００５】
【発明が解決しようとする課題】
しかし、従来の技術で述べたもののうち前者においては、供給通路を流下するパチンコ球の重量に抗して可動底板をスライド操作させなければならず、大きな操作力を必要として円滑な球抜き操作が望めないという問題点を有している。
【０００６】
また、後者においては供給通路内のパチンコ球の球圧に抗した球抜き操作を行う必要がないため球抜き操作を円滑に行うことができるものの、球抜部材に過大に球圧が掛けられると該球抜部材が受け部材から離れてしまうことになって無用に球抜きが行われてしまうという問題点を有している。
【０００７】
本発明は、従来技術の有するこのような問題点に鑑みてなされたものであり、その目的とするところは、球抜き時に残ることなく総てのパチンコ球を抜き取ることができると共に、無用に球抜きが行われることがないようなパチンコ機を提供しようとするものである。
【０００８】
【課題を解決するための手段】
かかる目的を達成するため本発明に係るパチンコ機は、打球供給皿が装着される前面板の裏側に、打球供給皿のパチンコ球が流入する球入口と発射レールの発射位置にパチンコ球を送り出す供給口とを形成した垂直な球通路を設け、該球通路の終端部の側壁に球抜通路に通ずる球抜口を開設すると共に、該球抜口に球抜き方向と直交する方向に往復動する球止壁板を設ける。また、球通路の終端部に前記供給口と連なりかつ供給口側と球抜口側とのいずれの側へも下傾する底壁を設ける。
また、球通路の側方に打球槌の回動に伴い上下に回動自在に軸支される球供給部材を配設し、該球供給部材に、球通路に流入する最先端のパチンコ球を底壁上で停止させ、かつ下向きに回動させたときそのパチンコ球を供給口から発射レールの発射位置に送り出す球止部と、下向きに回動させたとき球入口から球通路に流入するパチンコ球を受け止め一担待機させる球受部と、を設けてなり、前記球止部は打球槌が発射準備位置に回動すると下向きに回動して供給口を開放し球止部に受け止められていたパチンコ球を供給口から発射レールの発射位置へ排出するようにする。
そこで、打球供給皿のパチンコ球を球抜きする場合、球止壁板をスライドさせてパチンコ球の支持を解除することにより球通路内のパチンコ球を球抜通路に落下させるようにしたもので、これにより球通路内にパチンコ球が残ることなく総て抜き取ることができる。
【０００９】
【発明の実施の形態】
以下本発明に係るパチンコ機の実施の形態を図面を参照して説明する。図１はパチンコ機の正面図、図２はガラス扉枠及び前面板を開放した状態のパチンコ機の下部部分の斜視図である。図において、１はパチンコ機の前面枠、２は前面枠１の後面に着脱自在に装着される遊技盤であって、該遊技盤２の右下側に発射レール３が装着されている。４は発射レール３の発射位置５に先端が臨む打球槌、６は発射レール３の前面を覆う前面板であって、遊技盤２の上方部を覆うガラス扉枠７と共に前面枠１の窓孔の一側に開閉自在に装着されている。前記前面板６の前面にはパチンコ球払出装置（図示せず）から払い出されたパチンコ球を貯留し、そのパチンコ球を後述する打球供給装置１６に供給する打球供給皿８が装着されている。また、前面枠１の前面下部には打球供給皿８に充満してオーバーフローするパチンコ球を貯留する下部球受皿９及び発射位置５から発射されるパチンコ球の弾発力を調節する操作ハンドル１０が設けられている。
【００１０】
前記打球供給皿８は図３に示されるように本体部８ａと該本体部８ａの前面外側を覆うカバー部材８ｂとから構成されている。本体部８ａはパチンコ球を貯留する皿部１１と該皿部１１の上縁部分を囲う飾板部１２及び皿部１１の下方に延出する側板部１３とを有する。前記皿部１１は底部が一方に緩るやかに下り傾斜し、その傾斜下部にパチンコ球が一列に整列される球流下通路１４が形成されており、この球流下通路１４の下流端は前面板６に開設された流出口１５に接続される。そして、前面板６の裏面に打球供給装置１６が設けられる。
【００１１】
前記打球供給装置１６は図４に示されるように、箱状のケース体１７と球供給部材１８と、該球供給部材１８を作動させる電磁石１９とから大略構成される。ケース体１７は台板部１７ａと本体枠部１７ｂとに二分割して形成され、これらを合体して一体化される。前記ケース体１７は、流出口１５に合致する球入口２０と該球入口２０と連通し、かつパチンコ球１個が通過可能な垂直な球通路２１と発射レール３の発射位置５に臨む供給口２２とを有し、球通路２１の終端部には底壁２３が設けられる。該底壁２３は該底壁２３上に載るパチンコ球が供給口２２から発射レール３の発射位置５と終端部の外側の側壁に開設された後記する球抜口３５とのいずれにも自然に転がるように斜状に形成されている。また、球通路２１の終端部の内側方に発射レール３に対して直交する方向に横軸２４が設けられており、該横軸２４に球供給部材１８が上下方向に回動自在に軸支されている。
【００１２】
前記球供給部材１８は、横軸２４を挿通する挿通孔２５が形成された筒部２６を有し、該筒部２６には球入口２０側に位置する球受部２７ａと供給口２２側に位置する板状の球止部２７ｂとが一体に設けられている。球受部２７ａの先端には球通路２１の内側壁に開設される切欠２８から球通路２１内に介入する球受片部２９が設けられ、その上縁は横軸２４を中心とする円弧状受面として形成されている。また、筒部２６に側方へ突出する作用板部２６ａが設けられ、該作用板部２６ａに後方へ突出する係合ピン３０が設けられている。
【００１３】
前記電磁石１９は台板部１７ａに取着され、圧縮コイルバネ３１により下方へ突出するように付勢されたプランジャー３２の下端部に係止部材３３が取着される。そして、該係止部材３３に前記係合ピン３０を遊嵌する係合孔３４が設けられている。そこで、電磁石１９が消磁しているときは、図５実線に示すように圧縮コイルバネ３１の付勢によりプランジャー３２が下方へ突出して球供給部材１８が押し下げられており、球受部２７ａの球受辺部２９が球通路２１から退き、また球止部２７ｂが供給口２２を塞いでいる。一方、電磁石１９が励磁すると、圧縮コイルバネ３１の付勢に抗してプランジャー３２が上方へ収縮し球供給部材１８が引き上げられる。これに伴い、球受部２７ａの球受辺部２９が図５鎖線に示すように下向きに回動して球通路２１内に介入しパチンコ球を受け止めて一旦待機させるようになっており、また球止部２７ｂも下向きに回動して供給口２２を開き球通路２１の底壁２３上面に載るパチンコ球を発射レール３の発射位置５に送り出すようにしている。なお、電気的駆動手段として電磁石１９の他ロータリーソレノイドなどを使用することもできる。
【００１４】
前記球通路２１の終端部の外側の側壁には球抜用の球抜口３５が開設されており、その外側に球抜口３５を介して球通路２１と連通する球抜通路３６が形成されている。また、球抜通路３６は側板部１３に開設された球導口３７を介して前面板６の前側に配設される球抜樋３８と連通している。更に、該球抜樋３８は図１３に示すように球抜きシュート３９を介して下部球受皿９に連通している。球流下通路１４の流下端側、すなわち流出口１５近くの底面１４ａには図９に示すように球抜取口４０が開設されており、該球抜取口４０がその下方の連通路４１を介して前記球抜通路３６と連通している。
【００１５】
４２は打球供給皿８に貯留されるパチンコ球を球抜きするための球抜き部材であり、図３に示すように球抜取口４０を塞ぐ底壁板４３と球通路２１の球抜口３５を塞ぐ球止壁板４４とにより一体に形成される。そして、前面板６の前側に配置されると共に、図８に示すように打球供給皿８の側板部１３に開設した通孔４５を介してカバー部材８ｂ内に突出され、その先端部が側板部１３から前方へ突設するガイド枠４６内に往復動自在に保持されて球抜取口４０と球抜口３５とを同時に塞ぐようにしている。そこで、球止壁板４４は球抜き方向と直交する方向に往復動するので、例えば球通路２１内に待機するパチンコ球に過大な球圧が加わり球止壁板４４に作用しても球止壁板４４が球抜き方向に移動するようなことがなく、これにより球抜口３５からパチンコ球が無用に球抜きされてしまうことが確実に防止できる。
【００１６】
側板部１３の前面には図８に示すように略Ｌ字形のレバー部材４７が軸４８により揺動自在に軸支されると共に、操作部材４９が軸５０により上下方向へ押圧自在に軸支されている。前記球抜き部材４２には側板部１３間にコイルバネ５１が連結されており、常時球抜き部材４２を球通路２１側、すなわち底壁板４３と球止壁板４４とが球抜取口４０と球抜口３５とをそれぞれ塞ぐ位置、に付勢している。更に、前記操作部材４９はレバー部材４７の受止部４７ａ上に接触状に位置して飾板部１２の開口５２から上方に突出されている。
【００１７】
次に、このように構成されるパチンコ機の作用を説明する。打球供給皿８に貯留されるパチンコ球は一列に整列されながら前面板６の流出口１５を通ってケース体１７内の球通路２１に流入し、図６（ａ），図７（ａ）実線のように最先端のパチンコ球Ｂ１が底壁２３の上面で球止部２７ｂに受け止められた状態で連続して待機する。
【００１８】
一方、この状態で遊技者のハンドル操作により打球槌４が図５鎖線のように発射準備位置に回動されると、これに伴い電磁石１９に通電され該電磁石１９のプランジャー３２が圧縮コイルバネ３１の付勢に抗して上方へ収縮し、球供給部材１８を上向きに回動させる。これによって、図６（ｂ），図７（ｂ）のように球止部２７ｂが下向きに回動して供給口２２を開放し、球止部２７ｂに受け止められていたパチンコ球Ｂ１は底壁２３の傾斜によつて供給口２２から発射レール３の発射位置５へスムーズに転がり出る。同時に球受部２７ａの球受辺部２９が球通路２１内に介入し次のパチンコ球Ｂ２を球受辺部２９で受け止めて一旦待機させる。
【００１９】
次に、この状態から打球槌４が図５実線で示す発射動作位置に回動すると、電磁石１９への通電が遮断され、該電磁石１９のプランジャー３２が圧縮コイルバネ３１の付勢により下方へ突出し、球供給部材１８を下向きに回動させる。これによって、図６（ｃ），図７（ｃ）のように球受片部２９が上向きに回動して球通路２１の外に退き、同時に供給口２２も上向きに回動する球止部２７ｂによって塞がれるため、球受辺部２９で受け止められていたパチンコ球Ｂ２が落下して球通路２１の底壁２３上に載り、更に球止部２７ｂに受け止められた状態で待機する。その後は打球槌４の往復回動動作と同期する電磁石１９の励・消磁ごとに打球供給皿８のパチンコ球が１個ずつ確実に発射レール３の発射位置５に送り出される。
【００２０】
このように、打球槌４が発射準備位置に回動されたとき、発射レール３の発射位置５には必ずパチンコ球が存することになるので、始め空打ちするようなことがなく連続して安定した球打ちが可能となる。また、球通路２１内に流入した最先端のパチンコ球は底壁２３上に受けられることから、打球供給皿８内に貯留されるパチンコ球の球圧が球供給部材１８にほとんど加わることがないので、球供給部材１８は極めて円滑に回動動作し、しかも、電磁石１９に余分な抵抗が加わらないことから、故障の原因になるようなこともない。
【００２１】
一方、打球供給皿８内のパチンコ球を下部球受皿９に抜き取る場合は、操作部材４９を図８鎖線のように下方へ押圧してレバー部材４７をコイルバネ５１の付勢に抗して回動させる。これによって球抜き部材４２がレバー部材４７の長孔５３に臨む係止ピン５４を介してスライドし、底壁板４３と球止壁板４４とが図８鎖線のように移動して球抜取口４０及び球抜口３５を解放させる。
【００２２】
これによって、図９に示すように底壁板４３で受け止められていたパチンコ球Ｂ４〜Ｂ６は図１０に示すようにその支持を失い連通路４１を介して球抜通路３６へ落下する。同時に図１１に示すように球通路２１内の球止壁板４４で受け止められていたパチンコ球Ｂ２と続くパチンコ球Ｂ３も図１２に示すようにその支持を失い球抜口３５を介して球抜通路３６へ落下する。そして、これらパチンコ球Ｂ２，Ｂ３，Ｂ４…は球導口３７へ排出され、更に図１３に示されるように球抜きシュート３９を通って下部球受皿９に排出される。このようにして球抜通路３６と球通路２１内のパチンコ球を残すことなくすべて抜き取ることができる。
【００２３】
打球供給皿８内のパチンコ球を下部球受皿９に抜き取った後、操作部材４９の押圧を解除すると、コイルバネ５１の付勢によってレバー部材４７が図８実線位置に復帰し、同時に球抜き部材４２を図８実線位置に移動させ球抜取口４０を底壁板４３，また球抜口３５を球止壁板４４でそれぞれ塞ぎ、球入口２０から流入するパチンコ球を球通路２１内に連続して待機させる。
【００２４】
【発明の効果】
以上説明したことから明らかなように、垂直な球通路の終端部の底壁が球抜口側に下傾していることから、該底壁に載る最先端のパチンコ球が球止壁板に寄り掛かっていることとなり、打球供給皿のパチンコ球を抜き取る場合、球止壁板がスライドして球抜口を開放すると支持を失って球抜通路に落下するので、球通路内のパチンコ球も抜き取られることになる。これにより、打球供給装置内に残すことなく総てのパチンコ球を下部球受皿に抜き取ることができる。
【００２５】
また、球通路の終端部に設けられた底壁を球通路の最先端のパチンコ球が球抜口へ導かれるよう傾斜させて設けると共に該球抜口に球抜き方向と直交する方向に往復動する球止壁板を設けるようにしたので、球通路のパチンコ球に過大な球圧が掛けられても球止壁板が移動するようなことがなく、無用に球抜きされてしまうことを確実に防止することができる。
【図面の簡単な説明】
【図１】  パチンコ機の正面図。
【図２】  ガラス扉枠及び前面板を解放した状態のパチンコ機の下部部分の斜視図。
【図３】  打球供給皿部分の分解斜視図。
【図４】  打球供給装置の分解斜視図。
【図５】  打球供給装置部分を一部断面にして作用を説明する正面図。
【図６】  （ａ）〜（ｃ）は打球供給装置部分を一部断面にして作用を説明する概略正面図。
【図７】  （ａ）〜（ｃ）は打球供給装置部分を一部断面にして作用を説明する概略側面図。
【図８】  打球供給皿部分の側面断面図。
【図９】  図８のＸ−Ｘ線断面図。
【図１０】  作用を説明する図８のＸ−Ｘ線断面図。
【図１１】  作用を説明する図８のＸ−Ｘ線断面図。
【図１２】  作用を説明する図８のＸ−Ｘ線断面図。
【図１３】  打球供給皿と下部球受皿の関連構成を示す側面断面図。
【符号の説明】
３            発射レール
４            打球槌
５            発射位置
６            前面板
８            打球供給皿
１８          球供給部材
２０          球入口
２１          球通路
２２          供給口
２３          底壁
２７ａ        球受部
２７ｂ        球止部
３５          球抜口
３６          球抜通路
４２          球抜き部材
４４          球止壁板
Ｂ１，Ｂ２    パチンコ球
【図１】
0003978245.tif 000002
【図２】
0003978245.tif 000003
【図３】
0003978245.tif 000004
【図４】
0003978245.tif 000005
【図５】
0003978245.tif 000006
【図６】
0003978245.tif 000007
【図７】
0003978245.tif 000008
【図８】
0003978245.tif 000009
【図９】
0003978245.tif 000010
【図１０】
0003978245.tif 000011
【図１１】
0003978245.tif 000012
【図１２】
0003978245.tif 000013
【図１３】
0003978245.tif 000014